(57)【要約】【課題】より使いやすいエアマットレス装置および身体支持システムを提供する。【解決手段】実施形態によれば、エアマットレス装置は、エアマットレスと第１コネクタとを含む。前記エアマットレスは、複数のエアセルと、前記複数のエアセルと接続されたポンプユニットと、を含む。前記第１コネクタは、前記ポンプユニットに設けられ、直流電流が供給される。【選択図】図１
2019055135.tif 000002
【特許請求の範囲】
【請求項１】
複数のエアセルと、前記複数のエアセルと接続されたポンプユニットと、を含むエアマットレスと、
前記ポンプユニットに設けられ、直流電流が供給される第１コネクタと、
を備えたエアマットレス装置。
【請求項２】
複数のエアセルを含むエアマットレスと、
前記複数のエアセルと接続されたポンプユニットと、
前記ポンプユニットに設けられた第１コネクタと、
前記ポンプユニットに設けられ、前記第１コネクタと形状が異なる第２コネクタと、
を備えたエアマットレス装置。
【請求項３】
第１ケーブルをさらに備え、
前記第１ケーブルの一端は、前記第１コネクタと接続され、
前記第１ケーブルの他端は、身体支持装置に設けられたコネクタと接続される、請求項１または２に記載のエアマットレス装置。
【請求項４】
複数のエアセルを含むエアマットレスと、
前記複数のエアセルと接続されたポンプユニットと、
一端が前記ポンプユニットと接続された第１ケーブルと、
一端が前記ポンプユニットと接続された第２ケーブルであって、前記第２ケーブルの他端の形状は前記第１ケーブルの他端の形状と異なる、前記第２ケーブルと、
を備えたエアマットレス装置。
【請求項５】
請求項３または４に記載のエアマットレス装置と、
前記第１ケーブルを介して前記ポンプユニットと接続されるコネクタを含む身体支持装置と、
を備えた身体支持システム。
【発明の詳細な説明】
【技術分野】
【０００１】
本発明の実施形態は、エアマットレス及び身体支持システムに関する。
【背景技術】
【０００２】
複数のエアセルの内部に空気を入れて使用するエアマットレスがある。エアマットレスは、例えば、身体支持装置の上に設けられる。エアマットレス、及び、エアマットレスと身体支持装置とを含む身体支持システムにおいて、より使いやすいことが望ましい。
【先行技術文献】
【特許文献】
【０００３】
【特許文献１】国際公開ＷＯ２０１３／０７７３１３号公報
【発明の概要】
【発明が解決しようとする課題】
【０００４】
本発明の実施形態は、より使いやすいエアマットレス装置および身体支持システムを提供する。
【課題を解決するための手段】
【０００５】
実施形態によれば、エアマットレス装置は、エアマットレスと第１コネクタとを含む。前記エアマットレスは、複数のエアセルと、前記複数のエアセルと接続されたポンプユニットと、を含む。前記第１コネクタは、前記ポンプユニットに設けられ、直流電流が供給される。
別の実施形態によれば、エアマットレス装置は、エアマットレスと、ポンプユニットと、第１コネクタと、第２コネクタと、を含む。前記エアマットレスは、複数のエアセルを含む。前記ポンプユニットは、前記複数のエアセルと接続される。前記第１コネクタは、前記ポンプユニットに設けられる。前記第２コネクタは、前記ポンプユニットに設けられる。前記第２コネクタは、前記第１コネクタと形状が異なる。
別の実施形態によれば、エアマットレス装置は、エアマットレスと、ポンプユニットと、第１ケーブルと、第２ケーブルと、を含む。前記エアマットレスは、複数のエアセルを含む。前記ポンプユニットは、前記複数のエアセルと接続される。前記第１ケーブルの一端は、前記ポンプユニットと接続される。前記第２ケーブルの一端は、前記ポンプユニットと接続される。前記第２ケーブルの他端の形状は、前記第１ケーブルの他端の形状と異なる。
【発明の効果】
【０００６】
本発明の実施形態は、より使いやすいエアマットレス装置および身体支持システムを提供できる。
【図面の簡単な説明】
【０００７】
【図１】図１（ａ）及び図１（ｂ）は、実施形態に係る身体支持システム及びエアマットレス装置を例示する斜視図である。
【図２】図２は、実施形態に係る身体支持システム及びエアマットレス装置を例示する模式図である。
【図３】図３（ａ）および図３（ｂ）は、実施形態に係る身体支持システムを例示する模式図である。
【図４】図４は、実施形態に係る身体支持システム及びエアマットレス装置を例示する模式図である。
【図５】図５（ａ）および図５（ｂ）は、実施形態に係る身体支持システム及びエアマットレス装置を例示する模式的側面図である。
【図６】図６（ａ）および図６（ｂ）は、実施形態に係る身体支持システム及びエアマットレス装置を例示する模式的側面図である。
【図７】図７は、実施形態に係る身体支持システム及びエアマットレス装置を例示する模式図である。
【図８】図８（ａ）〜図８（ｃ）は、実施形態に係る身体支持システム及びエアマットレス装置を例示する模式図である。
【図９】図９（ａ）および図９（ｂ）は、実施形態に係る身体支持システム及びエアマットレス装置を例示する模式図である。
【図１０】図１０は、実施形態に係る別の身体支持システム及びエアマットレス装置を例示する模式図である。
【図１１】図１１は、実施形態に係る別の身体支持システム及びエアマットレス装置を例示する模式図である。
【発明を実施するための形態】
【０００８】
以下に、本発明の実施形態について図面を参照しつつ説明する。  
図面は模式的または概念的なものであり、各部分の厚さと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００９】
図１（ａ）に表したように、実施形態に係る身体支持システム３１０は、エアマットレス装置１１０および身体支持装置２１０を含む。この例では、身体支持装置２１０は、電動ベッドである。
【００１０】
実施形態に係るエアマットレス装置１１０は、図１（ｂ）に表したように、エアマットレス１０および操作部３０（例えば、操作パネル）を含む。エアマットレス１０は、複数のエアセル１１、ポンプユニット１２、およびカバー１３を含む。それぞれのエアセル１１の内部には、気体（例えば空気）が収納される。ポンプユニット１２は、複数のエアセル１１と接続される。ポンプユニット１２は、複数のエアセル１１へ気体を供給する。または、ポンプユニット１２は、複数のエアセル１１内部の気体を排気する。カバー１３は、複数のエアセル１１およびポンプユニット１２を覆う。
【００１１】
ポンプユニット１２は、例えば、エアマットレス１０に寝る人の足側に位置する。エアマットレス１０の頭側と足側は、例えば、エアマットレス１０に付された文字や絵などから判断される。
【００１２】
操作部３０は、エアマットレス１０（ポンプユニット１２）の制御を操作できる。例えば、使用者（エアマットレス１０に寝る人）は、操作部３０を用いて、エアセル１１内部の圧力を高く、または低くできる。これにより、エアマットレス１０を硬く、または柔らかくできる。操作部３０は、例えば図１（ｂ）に表したように、ケーブル３５により、ポンプユニット１２と電気的に接続される。操作部３０は、無線による通信手段により、ポンプユニット１２と接続されても良い。
【００１３】
身体支持装置２１０は、可動部７０（ボトム）および操作部２３０（例えば、ナースコントロールパネル）を含む。操作部２３０は、可動部７０の制御を操作できる。エアマットレス装置１１０は、可動部７０の上に設けられる。
【００１４】
図２に表したように、可動部７０は、例えば、背ボトム（back section）７０ａ、膝ボトム（upper leg section）７０ｂ、および脚ボトム（lower leg section）７０ｃ、背ボトム駆動部７１ａ、膝ボトム駆動部７１ｂ、および高さ駆動部７２を含む。例えば、背ボトム駆動部７１ａ、膝ボトム駆動部７１ｂ、および高さ駆動部７２のそれぞれは、アクチュエータを含む。
【００１５】
背ボトム駆動部７１ａの駆動により、背ボトム７０ａが動作し、使用者Ｐ（電動ベッドに寝る人）の背の角度を変更できる。膝ボトム駆動部７１ｂの駆動により、膝ボトム７０ｂと脚ボトム７０ｃが動作し、これらのボトムの間の角度を変更できる。これにより、使用者Ｐの膝の角度を変更できる。それぞれのボトム同士の間の角度は、連動して変化しても良い。高さ駆動部７２を駆動させることで、可動部７０の高さ（床面とベッド面との間の距離）を変更できる。
【００１６】
身体支持装置２１０は、駆動制御部２２０を含む。駆動制御部２２０は、ボトム制御部２２１および高さ制御部２２２を含む。背ボトム駆動部７１ａおよび膝ボトム駆動部７１ｂは、ボトム制御部２２１と電気的に接続される。背ボトム駆動部７１ａおよび膝ボトム駆動部７１ｂの動作は、ボトム制御部２２１から送信される信号に基づいて制御される。高さ駆動部７２は、高さ制御部２２２と電気的に接続される。高さ駆動部７２の動作は、高さ制御部２２２から送信される信号に基づいて制御される。
【００１７】
操作部２３０は、駆動制御部２２０と電気的に接続される。操作部２３０は、例えば図１（ｂ）に表したケーブル２３５により、駆動制御部２２０と接続される。操作部２３０は、無線による通信手段により、駆動制御部２２０と接続されても良い。
【００１８】
図３（ａ）に表したように、エアマットレス装置１１０は、第１コネクタ２０ａを含む。第１コネクタ２０ａは、例えば、ポンプユニット１２に設けられる。身体支持装置２１０は、コネクタ２２ａおよびコネクタ２３ａを含む。コネクタ２２ａおよび２３ａは、例えば、駆動制御部２２０に設けられる。第１コネクタ２０ａには、第１ケーブル３１の一端が接続され、コネクタ２２ａには、第１ケーブル３１の他端が接続される。
【００１９】
コネクタ２３ａには、ケーブル３３の一端が接続される。ケーブル３３の他端は、壁面等に設けられたコンセント２３ｂと接続される。これにより、ケーブル３３を介して、駆動制御部２２０に交流電流が供給される。例えば、駆動制御部２２０に供給された交流電流は、駆動制御部２２０において、直流電流に変換される。駆動制御部２２０からエアマットレス装置１１０（ポンプユニット１２）に、第１ケーブル３１を介して、例えば直流電流が供給される。または、第１ケーブル３１は、ＡＣ−ＤＣアダプタ（変換器、以下ＡＣアダプタという）を含んでいても良い。このＡＣアダプタにより、駆動制御部２２０から出力された交流電流が直流電流に変換され、直流電流がポンプユニット１２に供給されても良い。
【００２０】
第１コネクタ２０ａ、コネクタ２２ａ、および第１ケーブル３１の端子は、例えば、配線用のコンセントへの差込プラグと異なる形状を有する。例えば、第１ケーブル３１の両端には、雄型のＤＩＮコネクタが設けられる。第１コネクタ２０ａおよびコネクタ２２ａは、雌型のＤＩＮコネクタである。第１コネクタ２０ａ、コネクタ２２ａ、および第１ケーブル３１の端子は、ミニＤＩＮコネクタ、フォンコネクタ、ＬＡＮコネクタ、丸型コネクタ、または角型コネクタ等であっても良い。
【００２１】
図１（ａ）に表したように、身体支持装置２１０は、フレーム７５を含む。フレーム７５は、可動部７０の下方に位置し、可動部７０を支持する。例えば、駆動制御部２２０は、フレーム７５に固定される。図３（ｂ）に表したように、コネクタ２２ａは、フレーム７５に設けられても良い。同様に、コネクタ２３ａは、フレーム７５に設けられても良い。この場合、コネクタ２２ａおよび２３ａは、不図示の配線により、駆動制御部２２０と電気的に接続される。コネクタ２２ａは、例えば、身体支持システム３１０の通常使用時において、フレーム７５とボード７６との間に位置する。
【００２２】
実施形態によれば、身体支持装置２１０から供給された電流により、エアマットレス装置１１０（ポンプユニット１２）を駆動できる。このため、例えば、エアマットレス装置１１０から壁面等に設けられたコンセントまでケーブルを延ばす必要が無い。例えば、使用者や使用者や使用者の介護者がエアマットレス装置１１０の周りを歩く際に、ケーブルが邪魔にならない。実施形態によれば、より使いやすいエアマットレス装置１１０を提供できる。エアマットレス装置１１０を身体支持装置２１０に設けることで、より使いやすい身体支持システム３１０を提供できる。
【００２３】
実施形態によれば、エアマットレス１０が、複数のエアセル１１およびポンプユニット１２を含む。複数のエアセル１１およびポンプユニット１２が一体に設けられることで、エアマットレス装置１１０を小型化できる。
【００２４】
身体支持システム３１０において発生するノイズは小さいことが望ましい。ノイズが小さいと、例えば、身体支持システム３１０における誤動作を抑制できる。例えば、身体支持システム３１０で発生したノイズが、周囲の電子機器に影響を与える可能性を低減できる。実施形態によれば、身体支持装置２１０に設けられたコネクタ２２ａは、例えば、コンセントと異なる形状を有する。これにより、エアマットレス装置１１０以外の電気製品のコネクタ２２ａへの接続を制限できる。例えば、駆動制御部２２０から供給される電力で駆動できる機器にのみ制限できる。
【００２５】
図４において、実線の矢印は電気の流れを示し、破線の矢印は気体の流れを示す。
図４に表したように、ポンプユニット１２は、例えば、電源部１２ａ、通信部１２ｂ、制御部１２ｃ、リレー回路１２ｄ、ポンプ１２ｅ、圧力センサ１２ｆ、第１バルブ１２ｇ１、第２バルブ１２ｇ２、第３バルブ１２ｇ３、および排気弁１２ｈを含む。
【００２６】
例えば、駆動制御部２２０は、電力供給部２２５および通信部２２６を含む。電力供給部２２５からポンプユニット１２の電源部１２ａに、例えば直流電力が供給される。通信部２２６から、ポンプユニット１２の通信部１２ｂに向けて信号が送られる。この信号は、例えば、身体支持装置２１０の動作情報を含む。これにより、例えば、身体支持装置２１０の動作に連動して、エアマットレス装置１１０を動作させることができる。
【００２７】
電源部１２ａから制御部１２ｃに、信号が送られる。この信号は、例えば、電源部１２ａへの電流の供給の有無に関する情報を含む。通信部１２ｂから制御部１２ｃに、信号が送られる。この信号は、例えば、身体支持装置２１０の動作情報を含む。
さらに、制御部１２ｃには、圧力センサ１２ｆから信号が送られる。圧力センサ１２ｆは、ポンプ１２ｅと、第１バルブ１２ｇ１〜第３バルブ１２ｇ３と、の間の流路に接続され、この流路における圧力を検出する。圧力センサ１２ｆは、検出した圧力に関する情報を、制御部１２ｃに送信する。
制御部１２ｃは、これらの信号に含まれる情報に基づき、リレー回路１２ｄを駆動させる。リレー回路１２ｄの駆動により、ポンプ１２ｅ、第１バルブ１２ｇ１〜第３バルブ１２ｇ３、および排気弁１２ｈのそれぞれへの電流供給のオン・オフが切り替えられる。
【００２８】
第１バルブ１２ｇ１〜第３バルブ１２ｇ３は、ポンプ１２ｅおよび圧力センサ１２ｆと、複数のエアセル１１と、の間の流路に設けられる。この例では、ポンプ１２ｅに接続された流路が、３つに分岐している。これらの流路に、それぞれ、第１バルブ１２ｇ１、第２バルブ１２ｇ２、および第３バルブ１２ｇ３が設けられている。複数のエアセル１１のそれぞれは、第１バルブ１２ｇ１が接続された第１系統Ａ、第２バルブ１２ｇ２が接続された第２系統Ｂ、および第３バルブ１２ｇ３が接続された第３系統Ｃのいずれかに接続される。
【００２９】
排気弁１２ｈは、ポンプ１２ｅと、複数のバルブ１２ｇ１〜１２ｇ３と、の間の流路に接続される。例えば、ポンプ１２ｅおよび排気弁１２ｈの駆動により、第１系統Ａ〜第３系統Ｃのいずれか１つの系統の圧力が、他の系統の圧力よりも低くなる。これにより、エアマットレス１０の一部を柔らかくできる。圧力を低下させる系統を順次変化させることで、エアマットレス１０における柔らかい部分の位置を変化させることができる。これにより、使用者の身体の特定の部位に圧力が継続して加わることを防止でき、使用者への褥瘡（床ずれ）の発生を抑制できる。
【００３０】
第１ケーブル３１は、例えば、伸縮可能である。例えば、図５（ａ）に表したように、第１ケーブル３１は、螺旋状に巻かれている。コネクタ２２ａは、例えば、身体支持装置２１０のフレーム７５に設けられる。この場合、可動部７０が動作し、ポンプユニット１２の位置が高くなると、図５（ｂ）に表したように、第１コネクタ２０ａとコネクタ２２ａとの距離も長くなる。第１ケーブル３１は、この距離の変化に応じて伸縮可能である。例えば、第１ケーブル３１が伸縮可能なことで、第１コネクタ２０ａおよびコネクタ２２ａの配置の自由度が増す。例えば、第１ケーブル３１が引っ張られた場合でも、第１ケーブル３１が損傷し難くなる。
【００３１】
例えば、第１コネクタ２０ａおよびコネクタ２２ａの少なくとも一方は、第１ケーブル３１と固定せずに接続される。これにより、第１ケーブル３１が引っ張られた際に、第１コネクタ２０ａまたはコネクタ２２ａから第１ケーブル３１が外れやすくなる。例えば、第１ケーブル３１が引っ張られた場合でも、第１ケーブル３１が損傷し難くなる。
【００３２】
図６（ａ）に表したように、第１コネクタ２０ａは、身体支持装置２１０に対向して設けられ、コネクタ２２ａは、エアマットレス装置１１０（可動部７０）に対向して設けられていても良い。これにより、例えば、可動部７０の動作時に第１ケーブル３１が上方向または下方向に引っ張られた際に、第１ケーブル３１が第１コネクタ２０ａまたはコネクタ２２ａから外れやすくなる。
【００３３】
第１コネクタ２０ａおよびコネクタ２２ａは、第１ケーブル３１と固定して接続されても良い。この場合、例えば図６（ｂ）に表したように、第１ケーブル３１に、一対のコネクタ２１ｃおよびコネクタ２１ｄが設けられることが好ましい。コネクタ２１ｃおよび２１ｄは、固定せずに接続される。これにより、第１ケーブル３１が引っ張られた際には、コネクタ２１ｃと２１ｄが外れ、第１ケーブル３１が損傷し難くなる。
【００３４】
第１ケーブル３１は、電力供給用の配線以外に、通信用の配線を含んでいても良い。これにより、エアマットレス装置１１０と身体支持装置２１０との間で、１つのケーブルで信号の送受信が可能となる。エアマットレス装置１１０と身体支持装置２１０が通信用の配線で接続される場合、例えば、１つの操作部で、エアマットレス装置１１０および身体支持装置２１０の制御を操作できる。
【００３５】
例えば、図７に表したように、操作部２３０がケーブル２３５により駆動制御部２２０と接続される。操作部２３０が操作されると、信号が操作部２３０から駆動制御部２２０に入力される。操作部２３０から送信された信号が、可動部７０の動作に関する場合、駆動制御部２２０は、可動部７０を動作させる。操作部２３０から送信された信号が、エアマットレス装置１１０の動作に関する場合、駆動制御部２２０からポンプユニット１２に信号が送信される。これにより、操作部２３０を用いて、可動部７０およびポンプユニット１２を動作させることができる。１つの操作部でエアマットレス装置１１０および身体支持装置２１０の制御を操作できることで、エアマットレス装置１１０および身体支持システム３１０をより使いやすくできる。
【００３６】
身体支持装置２１０において、駆動制御部２２０により、コネクタ２２ａにおける電圧が監視されても良い。例えば、エアマットレス装置１１０と身体支持装置２１０が通信用の配線で接続される場合、駆動制御部２２０は、コネクタ２２ａにおける電圧が所定の閾値よりも低い場合、ポンプユニット１２へ信号を送る。ポンプユニット１２は、この信号を受信すると、ポンプ１２ｅの動作を弱め、または停止させる。
駆動制御部２２０により、コネクタ２２ａを流れる電流が監視されても良い。例えば、駆動制御部２２０は、コネクタ２２ａにおける電流が所定の閾値よりも高い場合、ポンプユニット１２へ信号を送る。ポンプユニット１２は、この信号を受信すると、ポンプ１２ｅの動作を弱め、または停止させる。
コネクタ２２ａにおける電圧またはコネクタ２２ａを流れる電流に基づき、駆動制御部２２０によりノイズの大きさが見積もられても良い。駆動制御部２２０は、ノイズの大きさが所定の閾値を超える場合、ポンプユニット１２へ信号を送る。ポンプユニット１２は、この信号を受信すると、ポンプ１２ｅの動作を弱め、または停止させる。
駆動制御部２２０およびポンプユニット１２により、これらの少なくともいずれかの動作が実行されることで、身体支持システム３１０で発生するノイズを小さくできる。
【００３７】
エアマットレス装置１１０と身体支持装置２１０が通信用の配線で接続される場合、例えば、身体支持装置２１０の動作に連動して、エアマットレス装置１１０を動作させることが可能である。例えば、背ボトム７０ａの角度が大きくなると、使用者の背の角度も大きくなり、使用者の臀部からエアマットレス１０に加わる力（体重）が大きくなる。これにより、エアマットレス１０の一部が沈み込み、臀部が可動部７０に接触すると、臀部に加わる応力が大きくなる。例えば、背ボトム７０ａの角度が大きくなるとともに、複数のエアセル１１における圧力を高めることで、エアマットレス１０の沈み込みを抑え、臀部が可動部７０に接触しないようにし、臀部に加わる応力を小さくできる。
【００３８】
エアマットレス装置１１０の動作に連動して、身体支持装置２１０が動作しても良い。例えば、エアマットレス装置１１０は、複数のエアセル１４を含む。複数のエアセル１４は、複数のエアセル１１の一部の上に設けられる。複数のエアセル１４は、横方向において、互いに離れている。横方向は、例えば、水平面に沿い、エアマットレス１０の頭側と足側とを結ぶ方向に対して垂直である。
【００３９】
例えば図８（ａ）〜図８（ｃ）に表したように、使用者の身体の一部に応力が継続して加わることを防止するために、エアマットレス装置１１０は、複数のエアセル１４の一部を膨らませることができる。エアマットレス装置１１０のこの動作に連動して、身体支持装置２１０の傾きが変化しても良い。例えば、図８（ａ）および図８（ｂ）に表したように、左側および右側の一方のエアセル１４が膨らむと、エアセル１４によって使用者Ｐの身体が、左側および右側の他方に押される。このエアマットレス装置１１０の動作に合わせて、身体支持装置２１０（可動部７０）の左側または右側の他方が上昇する。これにより、例えば、使用者Ｐがエアマットレス装置１１０から転落し難くなる。
【００４０】
図９（ａ）に表したように、身体支持システム３１０は、バッテリ２４０を含んでいても良い。バッテリ２４０は、例えば、第１ケーブル３１により、ポンプユニット１２および駆動制御部２２０と接続される。例えば、駆動制御部２２０にコンセント２３ｂから電流が供給されている間、バッテリ２４０が充電される。停電時等において、駆動制御部２２０にコンセント２３ｂから電流が供給されなくなると、ポンプユニット１２および駆動制御部２２０には、バッテリ２４０から電流が供給される。これにより、停電時等においても、エアマットレス装置１１０および身体支持装置２１０を動作させることができ、エアマットレス装置１１０および身体支持システム３１０をより使いやすくできる。
【００４１】
図９（ｂ）に表したように、ポンプユニット１２と駆動制御部２２０が第１ケーブル３１により接続され、駆動制御部２２０とバッテリ２４０がケーブル３４により接続されても良い。この場合、停電時等において、駆動制御部２２０を介してバッテリ２４０からポンプユニット１２に電流が供給される。
【００４２】
図１０に表したように、実施形態に係る別のエアマットレス装置１１１は、第１コネクタ２０ａおよび第２コネクタ２０ｂを含む。第１コネクタ２０ａおよび第２コネクタ２０ｂは、例えば、ポンプユニット１２に設けられる。
【００４３】
第１コネクタ２０ａには、第１ケーブル３１の一端が接続される。第２コネクタ２０ｂには、第２ケーブル３２の一端が接続される。ポンプユニット１２には、第１ケーブル３１および第２ケーブル３２の一方を通して、直流電流が供給される。第１コネクタ２０ａの形状は、第２コネクタ２２ａの形状と異なる。これにより、第１コネクタ２０ａと第２コネクタ２２ａには、異なる種類のケーブルを接続できる。
【００４４】
例えば、第１ケーブル３１の他端の形状は、第２ケーブル３２の他端の形状と異なる。これにより、第１ケーブル３１と第２ケーブル３２を、異なるコネクタに接続できる。例えば、第１コネクタ２０ａの他端は、身体支持装置２１０のコネクタ２２ａに接続できる。第２コネクタ２２ａの他端は、コンセント２３ｂに接続できる。
【００４５】
このエアマットレス装置１１１によれば、第１コネクタ２０ａおよび第１ケーブル３１を用いてポンプユニット１２に電流を供給するか、第２コネクタ２０ｂおよび第２ケーブル３２を用いてポンプユニット１２に電流を供給するか選択できる。例えば、エアマットレス装置１１１を乗せる身体支持装置が、給電用のコネクタを含む場合は、第１ケーブル３１により、この身体支持装置とポンプユニット１２を接続できる。エアマットレス装置１１１を乗せる身体支持装置が、給電用のコネクタを含まない場合は、第２ケーブル３２により、コンセント２３ｂとポンプユニット１２を接続できる。エアマットレス装置を乗せる身体支持装置の構成に拘わらず、エアマットレス装置に電流を供給できる。これにより、エアマットレス装置の使いやすさを向上できる。
【００４６】
図１１に表したエアマットレス装置１１２では、ポンプユニット１２は、エアマットレス１０と別体で設けられる。例えば、ポンプユニット１２は、操作部３０と一体となって、身体支持装置２１０のボード７６に掛けられる。エアマットレス１０の複数のエアセル１１と、ポンプユニット１２と、は、チューブ１５により接続される。チューブ１５を介して、複数のエアセル１１内部の圧力が制御される。
【００４７】
この例では、身体支持装置２１０に、コンセント２４が設けられる。コンセント２４は、例えば、駆動制御部２２０と電気的に接続される。第２ケーブル３２の一端をポンプユニット１２に接続し、第２ケーブル３２の他端をコンセント２４に接続することで、駆動制御部２２０からポンプユニット１２へ、直流電流または交流電流を供給できる。コンセント２４は、身体支持装置２１０の足側（背ボトム７０ａに対して膝ボトム７０ｂおよび脚ボトム７０ｃが位置する側）に設けられることが望ましい。コンセント２４とポンプユニット１２とを接続する第２ケーブル３２を短くできるためである。この例においても、身体支持装置２１０からエアマットレス装置１１０へ電流を供給できるため、エアマットレス装置１１０および身体支持システム３１０をより使いやすくできる。
【００４８】
以上の例では、身体支持装置２１０が電動ベッドである場合を例示した。本発明の実施形態は、これらの例に限定されない。身体支持装置２１０は、電動椅子またはストレッチャーなどであっても良い。
【００４９】
実施形態によれば、より使いやすいエアマットレス装置および身体支持システムが提供できる。
【００５０】
以上、具体例を参照しつつ、本発明の実施の形態について説明した。しかし、本発明は、これらの具体例に限定されるものではない。例えば、エアマットレス装置および身体支持システムに含まれる操作部、エアマットレス、エアセル、ポンプユニット、コネクタ、ケーブル、可動部、駆動部、フレーム、制御部などの各要素の具体的な構成に関しては、当業者が公知の範囲から適宜選択することにより本発明を同様に実施し、同様の効果を得ることができる限り、本発明の範囲に包含される。
【００５１】
各具体例のいずれか２つ以上の要素を技術的に可能な範囲で組み合わせたものも、本発明の要旨を包含する限り本発明の範囲に含まれる。
【００５２】
その他、本発明の実施形態として上述したエアマットレス装置および身体支持システムを基にして、当業者が適宜設計変更して実施し得る全てのエアマットレス装置および身体支持システムも、本発明の要旨を包含する限り、本発明の範囲に属する。
【００５３】
その他、本発明の思想の範疇において、当業者であれば、各種の変更例及び修正例に想到し得るものであり、それら変更例及び修正例についても本発明の範囲に属するものと了解される。
【符号の説明】
【００５４】
１０…エアマットレス
１１…エアセル
１２…ポンプユニット
１２ａ…電源部
１２ｂ…通信部
１２ｃ…制御部
１２ｄ…リレー回路
１２ｅ…ポンプ
１２ｆ…圧力センサ
１２ｇ…バルブ
１２ｈ…排気弁
１３…カバー
１４…エアセル
１５…チューブ
２０ａ…第１コネクタ
２０ｂ…第２コネクタ
２１ｃ、２１ｄ、２２ａ、２３ａ…コネクタ
２３ｂ、２４…コンセント
３０…操作部
３１…第１ケーブル
３２…第２ケーブル
３３、３４、３５…ケーブル
７０…可動部
７０ａ…背ボトム
７０ｂ…膝ボトム
７０ｃ…脚ボトム
７１ａ…背ボトム駆動部
７１ｂ…膝ボトム駆動部
７２…駆動部
７５…フレーム
７６…ボード
１１０、１１１、１１２…エアマットレス装置
２１０…身体支持装置
２１５…ケーブル
２２０…駆動制御部
２２１…ボトム制御部
２２２…制御部
２２５…電力供給部
２２６…通信部
２３０…操作部
２３５…ケーブル
２４０…バッテリ
３１０…身体支持システム
Ｐ 使用者
【図１】
2019055135.tif 000003
【図２】
2019055135.tif 000004
【図３】
2019055135.tif 000005
【図４】
2019055135.tif 000006
【図５】
2019055135.tif 000007
【図６】
2019055135.tif 000008
【図７】
2019055135.tif 000009
【図８】
2019055135.tif 000010
【図９】
2019055135.tif 000011
【図１０】
2019055135.tif 000012
【図１１】
2019055135.tif 000013